(57)【要約】      （修正有）【課題】本来内蔵カップに対応する販売金額で精算すべきところを所有カップに対応する販売金額で精算してしまう不整合と、本来所有カップに対応する販売金額で精算すべきところを内蔵カップに対応する販売金額で精算してしまう不整合と、を防止する自動販売機を提供すること。【解決手段】商品選択釦と、利用者の所有カップがセットされる第１状態又はセットされない第２状態の何れであるのかを検出する検出部と、検出部が第１状態を検出した場合、精算完了後に飲料を所有カップに供給し、第２状態を検出した場合、精算完了後に飲料を内蔵カップに供給する飲料供給部と、を有する自動販売機１であって、カードリーダが精算待機状態であるとき、検出結果が第１状態及び第２状態の一方から他方へ変化した場合、カードリーダの精算待機状態を解除する制御部、を備えてなる。【選択図】図１
2008276501.tif 000002
【特許請求の範囲】
【請求項１】
商品選択釦と、
利用者の所有カップがセットされる第１状態又は前記所有カップがセットされない第２状態の何れの状態であるのかを検出する検出部と、
前記検出部が前記第１状態を検出した場合、前記商品選択釦の押下に対応する飲料の販売金額として第１販売金額を示す第１情報を送信し、前記検出部が前記第２状態を検出した場合、前記飲料の販売金額として第２販売金額を示す第２情報を送信する送信部と、
前記第１情報又は前記第２情報を受信して精算待機状態となるカードリーダと、
前記検出部が前記第１状態を検出した場合、前記カードリーダによる精算完了後に前記飲料を前記所有カップに供給し、前記検出部が前記第２状態を検出した場合、前記カードリーダによる精算完了後に前記飲料を機内から払い出される内蔵カップに供給する飲料供給部と、
を有する自動販売機において、
前記カードリーダが精算待機状態であるとき、前記検出部の検出結果が前記第１状態及び前記第２状態の一方から他方へ変化した場合、前記カードリーダの精算待機状態を解除する制御部、
を備えたことを特徴とする自動販売機。
【請求項２】
前記制御部は、前記カードリーダから精算待機状態の解除を示す第３情報を受信した場合、このときの前記商品選択釦の押下を無効とする、
ことを特徴とする請求項１に記載の自動販売機。
【発明の詳細な説明】
【技術分野】
【０００１】
本発明は自動販売機に関する。
【背景技術】
【０００２】
カップに飲料を販売する自動販売機が知られている。この自動販売機は、例えば会社等で各社員（利用者）がコーヒーや紅茶等を購入して飲むために設置される。一般に、このタイプの自動販売機は、紙製又はプラスチック製の使い捨てカップ（以下、「内蔵カップ」と称する）を複数収容し、飲料を販売する都度、この内蔵カップを払い出していた。例えば、利用者が、現金やＩＣカード等により代金を支払い、所定の商品選択釦を押下すると、自動販売機は、内蔵カップを機内から払い出すとともに、押下された商品選択釦に該当する飲料を内蔵カップに供給するようになっている。
【０００３】
一方、環境問題に関する意識が高まっている近年では、ごみの削減に貢献できる自動販売機が求められている。例えば、利用者の所有カップが所定位置にセットされると、これを所定の検出部で検出して飲料を供給する自動販売機が開示されている（例えば、特許文献１参照）。しかしながら、利用者が所有カップを持参しないと飲料を販売できない自動販売機には、その不便さ故に、商業上普及し難いという問題がある。そこで、実際は、所有カップによる飲料販売と、内蔵カップによる飲料販売との何れも実施可能な自動販売機が提案されている。
【０００４】
但し、この自動販売機には、前述したごみの削減等の要請から、所有カップでの飲料販売を促進するサービス機能が付加されている。例えば、所有カップの利用者に対し販売金額を割引することにより、所有カップによる飲料販売と、内蔵カップによる飲料販売との差別化を図っている。
【０００５】
飲料の代金を現金で精算する場合、自動販売機は、所定の検出部を通じて所有カップがセットされている旨を検出すると、例えば、金銭投入後に商品選択釦が押下された時点で、割引分の金銭を含む釣銭を所定の返却口を通じて返却するようになっている。
【０００６】
飲料の代金をＩＣカードで精算する場合、自動販売機は、先ず、ＩＣカード用のカードリーダを備えている必要がある。自動販売機は、商品選択釦が押下されると、所定の検出部を通じて所有カップがセットされているか否かを検出し、所定の送信部を通じてその検出結果に応じた販売金額をカードリーダに送信するようになっている。ここで、カードリーダは、送信部から受信した販売金額を記憶すると精算待機状態となり、利用者によりＩＣカードがかざされると、例えば、このＩＣカードから読み出した残金から販売金額を減算し、この減算した残金をＩＣカードに書き込むようになっている。具体的には、自動販売機は、もし商品選択釦の押下時に所有カップがセットされていると検出した場合、例えば割引販売金額をカードリーダに送信し、もし商品選択釦の押下時に所有カップがセットされていないと検出した場合、例えば通常販売金額をカードリーダに送信する。
【特許文献１】特開平３−２９０７９５号公報
【発明の開示】
【発明が解決しようとする課題】
【０００７】
ところで、前述した自動販売機が飲料の代金をＩＣカードで精算する場合には以下のような、所有カップの有無に係る実際の状態と販売金額との不整合の問題が生じる虞がある。
【０００８】
例えば、利用者が商品選択釦の押下時には所有カップをセットしていないが、その直後に所有カップをセットして、カードリーダにＩＣカードをかざした場合、前述した自動販売機は、最終的に所有カップがセットされたにもかかわらず、所有カップの検出結果（セットされていない）に基づいて、通常販売金額で精算してしまう。
【０００９】
或いは、例えば、利用者が商品選択釦の押下時には所有カップをセットしているが、その直後に所有カップを取り出して、カードリーダにＩＣカードをかざした場合、前述した自動販売機は、最終的に所有カップがセットされていないにもかかわらず、所有カップの検出結果（セットされている）に基づいて、割引販売金額で精算してしまう。
【００１０】
本発明は、かかる課題に鑑みてなされたものであり、その目的とするところは、所有カップが機内にセットされたことが検出されているにも関わらず、所有カップがカードリーダによる販売金額の精算前に取り出され、内蔵カップに飲料を供給をしてしまった場合、本来内蔵カップに対応する販売金額で精算すべきところを所有カップに対応する販売金額で精算してしまう不整合と、所有カップが機内にセットされていないことが検出されているにも関わらず、所有カップが販売金額の精算前にセットされ、所有カップに飲料を供給してしまった場合、本来所有カップに対応する販売金額で精算すべきところを内蔵カップに対応する販売金額で精算してしまう不整合と、を防止する自動販売機を提供することにある。
【課題を解決するための手段】
【００１１】
前記課題を解決するための発明は、商品選択釦と、利用者の所有カップがセットされる第１状態又は前記所有カップがセットされない第２状態の何れの状態であるのかを検出する検出部と、前記検出部が前記第１状態を検出した場合、前記商品選択釦の押下に対応する飲料の販売金額として第１販売金額を示す第１情報を送信し、前記検出部が前記第２状態を検出した場合、前記飲料の販売金額として第２販売金額を示す第２情報を送信する送信部と、前記第１情報又は前記第２情報を受信して精算待機状態となるカードリーダと、前記検出部が前記第１状態を検出した場合、前記カードリーダによる精算完了後に前記飲料を前記所有カップに供給し、前記検出部が前記第２状態を検出した場合、前記カードリーダによる精算完了後に前記飲料を機内から払い出される内蔵カップに供給する飲料供給部と、を有する自動販売機であって、前記カードリーダが精算待機状態であるとき、前記検出部の検出結果が前記第１状態及び前記第２状態の一方から他方へ変化した場合、前記カードリーダの精算待機状態を解除する制御部、を備えてなる。
【００１２】
この自動販売機によれば、例えば所有カップをセットした利用者がもしカードリーダの精算待機状態中に当該所有カップを取り出した場合、検出部は、カードリーダの精算待機状態中に第１状態から第２状態への変化を検出する。これにより、制御部は、第１状態に基づく第１情報を受信していたカードリーダの精算待機状態を解除する。つまり、所有カップが実際にセットされていない場合には、当該所有カップがセットされていることに対応する第１販売金額の精算が解除される。また、例えば所有カップをセットしていない利用者がもしカードリーダの精算待機状態中に当該所有カップをセットした場合、検出部は、カードリーダの精算待機状態中に第２状態から第１状態への変化を検出する。これにより、制御部は、第２状態に基づく第２情報を受信していたカードリーダの精算待機状態を解除する。つまり、所有カップが実際にセットされている場合には、当該所有カップがセットされていないことに対応する第２販売金額の精算が解除される。以上から、第１販売金額及び第２販売金額のうちの一方の販売金額で精算するべきところを他方の販売金額で精算してしまうといった事態が回避される。つまり、所有カップが機内にセットされたことが検出されているにも関わらず、所有カップがカードリーダによる販売金額の精算前に取り出され、内蔵カップに飲料を供給をしてしまった場合、本来内蔵カップに対応する販売金額で精算すべきところを所有カップに対応する販売金額で精算してしまう不整合と、所有カップが機内にセットされていないことが検出されているにも関わらず、所有カップが販売金額の精算前にセットされ、所有カップに飲料を供給してしまった場合、本来所有カップに対応する販売金額で精算すべきところを内蔵カップに対応する販売金額で精算してしまう不整合と、が防止される。
【００１３】
また、かかる自動販売機において、前記制御部は、前記カードリーダから精算待機状態の解除を示す第３情報を受信した場合、このときの前記商品選択釦の押下を無効とする、ことが好ましい。
【００１４】
この自動販売機によれば、カードリーダの精算待機状態中に所有カップの存否の状態が変化した場合、販売金額の精算が行われない上に、先の商品選択釦の押下が無効とされて飲料の販売も行われないこととなる。
【発明の効果】
【００１５】
所有カップが機内にセットされたことが検出されているにも関わらず、所有カップがカードリーダによる販売金額の精算前に取り出され、内蔵カップに飲料を供給をしてしまった場合、本来内蔵カップに対応する販売金額で精算すべきところを所有カップに対応する販売金額で精算してしまう不整合と、所有カップが機内にセットされていないことが検出されているにも関わらず、所有カップが販売金額の精算前にセットされ、所有カップに飲料を供給してしまった場合、本来所有カップに対応する販売金額で精算すべきところを内蔵カップに対応する販売金額で精算してしまう不整合と、が防止される。
【発明を実施するための最良の形態】
【００１６】
===自動販売機の構成===
図１乃至図３を参照しつつ本実施の形態の自動販売機１の構成例について説明する。図１は本実施の形態の自動販売機１の外観構成例を示す正面図である。図２は本実施の形態の商品取出口１９の構成例を示す斜視図である。図３は本実施の形態の自動販売機１の制御を司る構成例を示すブロック図である。
【００１７】
以下、本実施の形態の自動販売機１の外観構成の一例について説明する。
【００１８】
図１に例示されるように、本実施の形態の自動販売機１の正面外観は、接客面１０を備えた前扉２で構成される。
【００１９】
尚、本実施の形態の自動販売機１は、例えばレギュラーコーヒー飲料等を調理して販売する自動販売機である。この自動販売機１は、後述するように、例えばカップを持参しない利用者には使い捨ての内蔵カップを払い出してこれに飲料を販売する一方、例えば利用者が所有するカップ（所有カップ、以後「マイカップ」と称する）に対しては、内蔵カップを払い出すことなく、持参したこのマイカップに飲料を販売するようになっている。
【００２０】
前扉２は、飲料を販売する販売機構（飲料供給部）１００（図３）等を収容する本体（不図示）の側端部に軸支されて開閉可能となっている。この前扉２は、例えばルートマンによる飲料の原料補充等に際しては開錠して開けられる一方、飲料販売に際しては施錠して閉じられている。
【００２１】
接客面１０は、利用者と自動販売機１とのインタフェースを司るものであり、商品選択釦１１、表示ランプ１１ａ、添加物増減釦１２、１３、表示ランプ２０、２１、ディスプレイ２５、硬貨投入口１５、紙幣挿入口１６、返却レバー１７、リーダライタ（カードリーダ）４００、返却口１８、及び商品取出口１９を備えている。
【００２２】
商品選択釦１１は、利用者が飲料を選択するための釦であり、本実施の形態では、商品販売の可・不可や商品先選択等を表示するための表示ランプ１１ａを内蔵し、接客面１０上で複数種類の飲料の写真、絵柄、文字等の表示にそれぞれ対応するように配置されている。添加物増減釦１２、１３は、１杯の飲料に添加する砂糖やクリーム等の量を利用者が予め増減設定するための釦であり、本実施の形態では、添加物増減釦１２、１３を押下した回数に応じて表示ランプ２０、２１に添加物の量の増減が表示されるようになっている。ディスプレイ２５は、利用者に対し、例えば後述する商品選択釦１１を再押下する旨を促す等の所定のメッセージを表示する。硬貨投入口１５は、利用者が飲料の代金を支払うべく、後述する硬貨識別装置に硬貨を投入するためのものである。紙幣挿入口１６は、利用者が飲料の代金を支払うべく、後述する紙幣識別装置に紙幣を挿入するためのものである。返却レバー１７は、投入硬貨自体、或いは、投入硬貨又は紙幣挿入から飲料販売金額等を減額した釣銭を返却口１８に返却するためのものである。リーダライタ４００は、飲料販売に際し、後述するＩＣカード５０（図３）に対し、残金を読み出したり、当該残金から販売金額を減算した新たな残金を書き込んだりするためのものである。商品取出口１９は、機内に、利用者がマイカップをセットする空間又は払い出された内蔵カップがセットされる空間を有するとともに、このマイカップ又は内蔵カップに供給管１２５を通じて飲料が供給される空間を有するものである。利用者は、飲料が供給されたマイカップ又は内蔵カップを商品取出口１９の出入口を介して取り出すようになっている。
【００２３】
図２に例示されるように、本実施の形態の自動販売機１の商品取出口１９の内部の空間には、同図のＸ軸方向に沿ってマイカップを挟んで対向する位置に、カップ検出器（検出部）３２が設けられている。本実施の形態のカップ検出器３２は、赤外光を発光する発光部３２ａと、この赤外光を受光する受光部３２ｂとを備えて構成されている。同図に例示されるように、マイカップが載置場所３１にセットされていれば、発光部３２ａが発光する赤外光は、マイカップに遮断されて、受光部３２ｂに到達しない。一方、載置場所３１に何もセットされていなければ、受光部３２ｂは、発光部３２ａが発光する赤外光を受光する。これにより、後述するように、受光部３２ｂによる受光結果に応じて、載置場所３１におけるマイカップの存否を判別することができる。
【００２４】
以下、本実施の形態の自動販売機１の制御を司る構成の一例について説明する。  
図３に例示されるように、本実施の形態の自動販売機１は、主制御部（検出部、送信部、飲料供給部、制御部）２００及び複数の従制御部から構成されている。従制御部は、硬貨処理制御部２１０、紙幣処理制御部２２０、接客制御部２３０、カップ検出制御部２４０、販売制御部２５０、入出力制御部２６０等である。また、主制御部２００には、通信インタフェース３００を介してリーダライタ４００が接続されている。
【００２５】
主制御部２００は、従制御部を統括制御したり、リーダライタ４００と精算に係る情報のやり取りをしたりするものであり、ＣＰＵ２０１、ＲＯＭ２０２、ＲＡＭ２０３、及びタイマ２０４を備えて構成されている。ここで、ＣＰＵ２０１は、ＲＯＭ２０２に記憶されている所定のプログラムに基づいて前記統括制御や通信等を行う。ＲＡＭ２０３は、前記統括制御や通信等に係る各種情報を記憶する。また、タイマ２０４は、前記統括制御や通信等に係る各種時間を計時する。
【００２６】
硬貨投入機構２１１は、硬貨処理制御部２１０により制御されて、釣銭切れを検出し、硬貨投入口１５からの投入硬貨を受け取り、必要に応じて釣銭を返却口１８から返却する。硬貨処理制御部２１０及び硬貨投入機構２１１により硬貨識別装置が構成される。紙幣挿入機構２２１は、紙幣処理制御部２２０に制御されて、釣札切れを検出し、紙幣挿入口１６からの挿入紙幣を受け取り、必要に応じて釣札を紙幣挿入口１６から返却する。紙幣処理制御部２２０及び紙幣挿入機構２２１により紙幣識別装置が構成される。
【００２７】
接客制御部２３０は、前述した接客面１０を構成する商品選択釦１１、添加物増減釦１２、１３、表示ランプ１１ａ、２０、２１、及びディスプレイ２５を制御する。例えば、商品選択釦１１が押下されると、接客制御部２３０は、当該商品選択釦１１に応じた信号を生成して主制御部２００に送信する。また、例えば、接客制御部２３０は、主制御部２００からの信号に基づいて、ディスプレイ２５に所定のメッセージを表示させる。
【００２８】
カップ検出制御部（検出部）２４０は、商品取出口１９の載置場所３１におけるマイカップの存否を検出するべく、発光部３２ａに赤外光を発光させるとともに、受光部３２ｂによる受光結果を解析する。即ち、受光部３２ｂが赤外光を受光しないことは、載置場所３１にマイカップがセットされていることに対応する一方、受光部３２ｂが赤外光を受光することは、載置場所３１にマイカップがセットされていないことに対応する。
【００２９】
販売制御部（飲料供給部）２５０は、販売機構１００を制御して飲料を調理し販売する。例えば内蔵カップに飲料を販売する場合、販売制御部２５０は、カップ供給部１０３を制御して内蔵カップを払い出し、ポンプ１０１や電磁弁１０２等を所定時期に所定時間だけ動作させて内蔵カップに飲料を供給する。
【００３０】
入出力制御部２６０は、例えばルートマンが各種販売条件等を設定するためにコントロールパネル２６１を通じて入力する情報を主制御部２００に送信する。コントロールパネル２６１は、情報を入力するためのキー（不図示）や、このキー操作の内容を表示するためのディスプレイ（不図示）等を備えており、本実施の形態では、入出力制御部２６０と有線を介して接続されているとともに、自動販売機１の前扉２の裏面に着脱自在に設けられている。
【００３１】
本実施の形態のリーダライタ４００は、ＩＣカード５０を通じて飲料の販売金額を精算する目的で、ＩＣカード５０が内蔵する所定のメモリ（不図示）に記憶されるＩＤや残金等を読み出したり、この残金を更新するべく新たな残金を書き込んだりするための周知の手段である。このリーダライタ４００は、主制御部２００から通信インタフェース３００を通じて飲料の販売金額を受信すると、当該販売金額を内蔵の所定のメモリ（不図示）に記憶するとともに、利用者によりＩＣカード５０がかざされるまで、当該販売金額の精算を待機する状態に移行する機能を備えている。また、このリーダライタ４００は、後述するように、飲料の販売金額の精算処理を完了すると、この完了した旨の情報を主制御部２００に送信する機能を備えている。更に、このリーダライタ４００は、後述するように、飲料の販売金額の精算待機状態を解除する旨の情報を受信すると、この精算待機状態を解除するとともに、前記解除を受け付けた旨の情報を主制御部２００に送信する機能を備えている。
【００３２】
===自動販売機の動作===
図４を参照しつつ前述した構成を備えた自動販売機１の動作例について説明する。同図は本実施の形態の自動販売機１が飲料を販売する際の主制御部２００の処理の手順例を示すフローチャートである。  
主制御部２００は、何れかの商品選択釦１１が押下されたか否かを判別する（Ｓ１００）。何れの商品選択釦１１も押下されていないと判別した場合（Ｓ１００：ＮＯ）、主制御部２００は、ステップＳ１００の処理を再度実行する。  
何れかの商品選択釦１１が押下されたと判別した場合（Ｓ１００：ＹＥＳ）、主制御部２００は、カップ検出器３２からの検出結果に基づいて、商品取出口１９の載置場所３１にマイカップがセットされているか否かを判別する（Ｓ１０１）。
【００３３】
<<<マイカップに対する割引販売>>>
利用者が商品選択釦１１を押下した時点でマイカップがセットされていた場合（第１状態）について説明する。これは、実際には、利用者が先ず商品取出口１９の載置場所３１にマイカップをセットした後に所望の商品選択釦１１を押下する動作に対応するものである。  
商品取出口１９の載置場所３１にマイカップがセットされていると判別した場合（Ｓ１０１：ＹＥＳ）、主制御部２００は、タイマ２０４をリセットした後に計時を開始させるとともに（Ｓ２００）、リーダライタ４００に対し、押下された商品選択釦１１に該当する飲料の通常販売金額からマイカップによる所定の割引分を減算した割引販売金額（第１販売金額）の情報（第１情報）を送信する（Ｓ２０１）。また同時に、主制御部２００は、商品選択釦１１の表示ランプ１１ａを点滅させる。尚、これら通常販売金額や割引金額等はＲＡＭ２０３に記憶されている。  
次に、主制御部２００は、カップ検出器３２からの検出結果に基づいて、商品取出口１９の載置場所３１にマイカップがセットされているか否かを再度判別する（Ｓ２０２）。
【００３４】
以下、マイカップがセットされたままの場合における主制御部２００の処理手順について説明する。  
もしマイカップがセットされたままであり、よってマイカップの状態に変化がないと判別すれば（Ｓ２０２：ＹＥＳ）、主制御部２００は、リーダライタ４００から精算完了の旨の情報を受信したか否かを判別する（Ｓ２０３）。リーダライタ４００から精算完了の旨の情報を受信したと判別した場合（Ｓ２０３：ＹＥＳ）、主制御部２００は、販売制御部２５０を通じて販売機構１００を制御してマイカップに対し飲料を販売させる（Ｓ２０８）。
【００３５】
リーダライタ４００から精算完了の旨の情報を受信していないと判別した場合（Ｓ２０３：ＮＯ）、主制御部２００は、タイマ２０４を参照してその時刻Ｔが所定時間に達しているか否かを判別する（Ｓ２０７）。尚、この所定時間とは、例えば、利用者が商品先選択を行った後にリーダライタ４００にＩＣカード５０をかざすまでの上限時間であり、本実施の形態ではこの時間は予め定められて例えばＲＡＭ２０３に記憶されている。
【００３６】
Ｔが所定時間に達していないと判別すれば（Ｓ２０７：ＮＯ）、主制御部２００は、ステップＳ２０２においてマイカップの存否の判別を再度実行する。このように、ステップＳ２０２：ＹＥＳ、ステップＳ２０３：ＮＯ、及びステップＳ２０７：ＮＯの処理を繰り返し実行することにより、主制御部２００は、ステップＳ２０１以後の所定時間、マイカップが取り出されたか否かを判別し続けることとなる。  
Ｔが所定時間に達したと判別すれば（Ｓ２０７：ＹＥＳ）、主制御部２００は、ディスプレイ２５に、時間切れによる販売停止の旨を表示するとともに（Ｓ４００）、ステップＳ１００：ＹＥＳで押下された商品選択釦１１の表示ランプ１１ａを点滅から消灯に切り換える。
【００３７】
以下、セットされていたマイカップが例えば途中で取り出された場合における主制御部２００の処理手順について説明する。  
もしセットされていたマイカップが例えば前記所定時間内に取り出され、よってマイカップの状態が変化したと判別すれば（Ｓ２０２：ＮＯ）、主制御部２００は、リーダライタ４００に精算待機状態を解除する旨の情報を送信する（Ｓ２０４）。
【００３８】
主制御部２００は、精算待機状態の解除を受け付けた旨の情報（第３情報）をリーダライタ４００から受信したか否かを判別する（Ｓ２０５）。前記解除を受け付けた旨の情報をリーダライタ４００から受信していないと判別した場合（Ｓ２０５：ＮＯ）、主制御部２００は、ステップＳ２０５の処理を再度実行する。
【００３９】
前記解除を受け付けた旨の情報をリーダライタ４００から受信したと判別した場合（Ｓ２０５：ＹＥＳ）、主制御部２００は、ステップＳ１００：ＹＥＳにおける商品選択釦１１の押下にともなう信号を無効とし、当該商品選択釦１１の表示ランプ１１ａを点滅から消灯に切り換えるとともに、ディスプレイ２５に、例えば利用者に対し載置場所３１をそのままの状態にしつつ商品選択釦１１を再度押下する等を促す旨を表示し（Ｓ２０６）、前述したステップＳ１００の処理を再度実行する。
【００４０】
<<<内蔵カップに対する通常販売>>>
利用者が商品選択釦１１を押下した時点でマイカップがセットされていなかった場合（第２状態）について説明する。これは、実際には、利用者が商品取出口１９の載置場所３１にマイカップをセットすることなく所望の商品選択釦１１を押下する動作に対応するものである。
【００４１】
商品取出口１９の載置場所３１にマイカップがセットされていないと判別した場合（Ｓ１０１：ＮＯ）、主制御部２００は、タイマ２０４をリセットした後に計時を開始させるとともに（Ｓ３００）、リーダライタ４００に対し、押下された商品選択釦１１に該当する飲料の通常販売金額（第２販売金額）の情報（第２情報）を送信する（Ｓ３０１）。また同時に、主制御部２００は、商品選択釦１１の表示ランプ１１ａを点滅させる。  
次に、主制御部２００は、カップ検出器３２からの検出結果に基づいて、商品取出口１９の載置場所３１にマイカップがセットされている否かを再度判別する（Ｓ３０２）。
【００４２】
以下、マイカップがセットされていないままの場合における主制御部２００の処理手順について説明する。  
もしマイカップがセットされていないままであり、よって載置場所３１における状態に変化がないと判別すれば（Ｓ３０２：ＹＥＳ）、主制御部２００は、リーダライタ４００から精算完了の旨の情報を受信したか否かを判別する（Ｓ３０３）。リーダライタ４００から精算完了の旨の情報を受信したと判別した場合（Ｓ３０３：ＹＥＳ）、主制御部２００は、販売制御部２５０を通じて販売機構１００を制御して内蔵カップを払い出させ、この内蔵カップに対し飲料を販売させる（Ｓ３０８）。
【００４３】
リーダライタ４００から精算完了の旨の情報を受信していないと判別した場合（Ｓ３０３：ＮＯ）、主制御部２００は、タイマ２０４を参照してその時刻Ｔが前述した所定時間に達しているか否かを判別する（Ｓ３０７）。
【００４４】
Ｔが所定時間に達していないと判別すれば（Ｓ３０７：ＮＯ）、主制御部２００は、ステップＳ３０２においてマイカップの存否の判別を再度実行する。このように、ステップＳ３０２：ＹＥＳ、ステップＳ３０３：ＮＯ、及びステップＳ３０７：ＮＯの処理を繰り返し実行することにより、主制御部２００は、ステップＳ３０１以後の所定時間、マイカップがセットされたか否かを判別し続けることとなる。  
Ｔが所定時間に達したと判別すれば（Ｓ３０７：ＹＥＳ）、主制御部２００は、ディスプレイ２５に、時間切れによる販売停止の旨を表示するとともに（Ｓ４００）、ステップＳ１００：ＹＥＳで押下された商品選択釦１１の表示ランプ１１ａを点滅から消灯に切り換える。
【００４５】
以下、マイカップが例えば途中でセットされた場合における主制御部２００の処理手順について説明する。  
もしマイカップが例えば前記所定時間内にセットされ、よって載置場所３１における状態が変化したと判別すれば（Ｓ３０２：ＮＯ）、主制御部２００は、リーダライタ４００に精算待機状態を解除する旨の情報を送信する（Ｓ３０４）。
【００４６】
主制御部２００は、精算待機状態の解除を受け付けた旨の情報（第３情報）をリーダライタ４００から受信したか否かを判別する（Ｓ３０５）。前記解除を受け付けた旨の情報をリーダライタ４００から受信していないと判別した場合（Ｓ３０５：ＮＯ）、主制御部２００は、ステップＳ３０５の処理を再度実行する。
【００４７】
前記解除を受け付けた旨の情報をリーダライタ４００から受信したと判別した場合（Ｓ３０５：ＹＥＳ）、主制御部２００は、ステップＳ１００：ＹＥＳにおける商品選択釦１１の押下にともなう信号を無効とし、当該商品選択釦１１の表示ランプ１１ａを点滅から消灯に切り換えるとともに、ディスプレイ２５に、例えば利用者に対し載置場所３１をそのままの状態にしつつ商品選択釦１１を再度押下する等を促す旨を表示し（Ｓ３０６）、前述したステップＳ１００の処理を再度実行する。
【００４８】
尚、前述した処理の手順では、リーダライタ４００の精算処理に上限時間（所定時間）が設定されていたが、これに限定されるものではない。
【００４９】
図５に例示されるように、主制御部２００は、マイカップ有りと判別した場合（Ｓ５０１：ＹＥＳ）、リーダライタ４００に割引販売金額を送信した（Ｓ６００）直後に、マイカップの変化の有無を判別し（Ｓ６０１）、当該判別を、リーダライタ４００における精算の完了（Ｓ６０２：ＹＥＳ）までし続けるものであってもよい（Ｓ５０１：ＹＥＳ、Ｓ６００、Ｓ６０１：ＹＥＳ、及びＳ６０２：ＮＯ）。ここで、図５は、本実施の形態の自動販売機１が飲料を販売する際の主制御部２００の処理の手順例を示すもう一つのフローチャートである。同様に、主制御部２００は、マイカップ無しと判別した場合（Ｓ５０１：ＮＯ）、リーダライタ４００に通常販売金額を送信した（Ｓ７００）直後に、マイカップの変化の有無を判別し（Ｓ７０１）、当該判別を、リーダライタ４００における精算の完了（Ｓ７０２：ＹＥＳ）までし続けるものであってもよい（Ｓ５０１：ＮＯ、Ｓ７００、Ｓ７０１：ＹＥＳ、及びＳ７０２：ＮＯ）。
【００５０】
前述したステップＳ５０１：ＹＥＳ、Ｓ６００、Ｓ６０１：ＹＥＳ、及びＳ６０２：ＮＯ、並びに、ステップＳ５０１：ＮＯ、Ｓ７００、Ｓ７０１：ＹＥＳ、及びＳ７０２：ＮＯ以外に図５に例示される各ステップにおける主制御部２００の処理は、図４で既に説明した該当のステップにおける主制御部２００の処理と同様である。
【００５１】
具体的には、ステップＳ５００及びＳ５０１（図５）が、ステップＳ１００及びＳ１０１（図４）にそれぞれ対応する。  
また、ステップＳ６０３（図５）がステップＳ２０８（図４）に対応するとともに、ステップＳ６０４、Ｓ６０５、及びＳ６０６（図５）が、ステップＳ２０４、Ｓ２０５、及びＳ２０６（図４）にそれぞれ対応する。  
更に、ステップＳ７０３（図５）がステップＳ３０８（図４）に対応するとともに、ステップＳ７０４、Ｓ７０５、及びＳ７０６（図５）が、ステップＳ３０４、Ｓ３０５、及びＳ３０６（図４）にそれぞれ対応する。
【００５２】
===マイカップの存否と販売金額との整合性===
本実施の形態の自動販売機１によれば、商品選択釦１１の押下時にマイカップを載置場所３１にセットしていた利用者がもし前述した所定時間中にマイカップを取り出した場合、主制御部２００は、カップ検出器３２を通じて、載置場所３１におけるマイカップ有から無への状態への変化を検出できる。これにより、主制御部２００は、割引販売金額の情報を受信して精算待機していたリーダライタ４００に対し当該精算を解除する旨の情報を送信できる。つまり、マイカップが結果的にセットされていない場合には、割引販売金額による精算は行われない。また、商品選択釦１１の押下時にマイカップを載置場所３１にセットしていなかった利用者がもし前述した所定時間中にマイカップをセットした場合、主制御部２００は、カップ検出器３２を通じて、載置場所３１におけるマイカップ無から有への状態の変化を検出できる。これにより、主制御部２００は、通常販売金額の情報を受信して精算待機していたリーダライタ４００に対し当該精算を解除する旨の情報を送信できる。つまり、マイカップが結果的にセットされている場合には、通常販売金額の精算は行われない。以上から、マイカップが機内にセットされたことが検出されているにも関わらず、マイカップがリーダライタ４００による販売金額の精算前に取り出され、内蔵カップに飲料を供給をしてしまった場合、本来内蔵カップに対応する販売金額で精算すべきところをマイカップに対応する販売金額で精算してしまう不整合と、マイカップが機内にセットされていないことが検出されているにも関わらず、マイカップが販売金額の精算前にセットされ、マイカップに飲料を供給してしまった場合、本来マイカップに対応する販売金額で精算すべきところを内蔵カップに対応する販売金額で精算してしまう不整合と、が防止される。
【００５３】
また、本実施の形態の自動販売機１によれば、主制御部２００は、リーダライタ４００から前記解除を受け付けた旨の情報を受信した場合、先の商品選択釦１１の押下を無効とし、利用者に対しディスプレイ２５を通じて商品選択釦１１の再押下を促す旨通知できる。これにより、利用者は、前述した変化における最終状態で、商品を選択することができる。つまり、例えば前述した所定時間中にマイカップを取り出していた場合、利用者は、この状態で商品選択釦１１を再度押下することにより、内蔵カップへの通常販売を受けることができる。また、例えば前述した所定時間中にマイカップをセットしていた場合、利用者は、この状態で商品選択釦１１を再度押下することにより、マイカップへの割引販売を受けることができる。
【００５４】
尚、前述した実施の形態の自動販売機１では、利用者は商品取出口１９の載置場所３１にマイカップをセットするか否かを予め設定した後に商品選択釦１１を押下するものであったが、これに限定されるものではない。例えば、自動販売機１の主制御部２００は、商品選択釦１１の押下にともなう信号を受信すると、ディスプレイ２５を通じて利用者に対しマイカップのセットの有無を設定する操作を促した後に、商品検出器３２を通じてマイカップの有無を検出して販売金額をリーダライタ４００に送信し、更にその後所定時間内で載置場所３１における状態の変化を検出するものであってもよい。
【００５５】
===その他の実施の形態===
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００５６】
前述した実施の形態の自動販売機１は、例えばレギュラーコーヒー飲料等を調理して販売する自動販売機であったが、これに限定されるものではなく、要するに、マイカップ又は内蔵カップの双方で供給可能な飲料であればいかなるものであってもよい。
【００５７】
また、前述した実施の形態の自動販売機１は、飲料の代金を現金及びＩＣカード５０の双方で精算できるようになっていたが、これに限定されるものではなく、例えばＩＣカード５０で精算する機能のみを備えたものであってもよい。
【００５８】
また、前述した実施の形態では、カップ検出器３２は、前述した赤外線の透過を検出するタイプに限定されるものではなく、例えば赤外線の反射を検出するタイプであってもよい。反射タイプの場合、例えば前述した発光部３２ａが受光部３２ｂをともに備えて１つのセンサを構成する。このセンサの近傍にマイカップがある場合にセンサから発光した赤外光がマイカップの表面で反射された反射光の強度は、マイカップがない場合にセンサから発光した赤外光が商品取出口１９の内壁で反射された反射光の強度よりも大きい。そこで、センサが受光する反射光の強度が所定値を超えるか否かを判別することにより、マイカップの存否を検出する。或いは、マイカップの存否を検出する検出部は、このような赤外線を利用するカップ検出器３２に限定されるものではなく、例えばマイカップの自重を検知する圧力センサ等であってもよい。要するに、マイカップの存否を自動的に検出するための手段であれば、いかなる手段であってもよい。
【図面の簡単な説明】
【００５９】
【図１】本実施の形態の自動販売機の外観構成例を示す正面図である。
【図２】本実施の形態の商品取出口の構成例を示す斜視図である。
【図３】本実施の形態の自動販売機の制御を司る構成例を示すブロック図である。
【図４】本実施の形態の自動販売機が飲料を販売する際の主制御部の処理の手順例を示すフローチャートである。
【図５】本実施の形態の自動販売機が飲料を販売する際の主制御部の処理の手順例を示すもう一つのフローチャートである。
【符号の説明】
【００６０】
１  自動販売機、２  前扉、１０  接客面、１１  商品選択釦、
１１ａ、２０、２１  表示ランプ、１２、１３  添加物増減釦、１５  硬貨投入口、
１６  紙幣挿入口、１７  返却レバー、１８  返却口、１９  商品取出口、
２５  ディスプレイ、３１  載置場所、３２  カップ検出器、３２ａ  発光部、
３２ｂ  受光部、１００  販売機構、１０１  ポンプ、１０２  電磁弁、
１０３  カップ供給部、１２５  供給管、２００  主制御部、２０１  ＣＰＵ、
２０２  ＲＯＭ、２０３  ＲＡＭ、２０４  タイマ、２１０  硬貨処理制御部、
２１１  硬貨投入機構、２２０  紙幣処理制御部、２２１  紙幣挿入機構、
２３０  接客制御部、２４０  カップ検出制御部、２５０  販売制御部、
２６０  入出力制御部、２６１  コントロールパネル
【図１】
2008276501.tif 000003
【図２】
2008276501.tif 000004
【図３】
2008276501.tif 000005
【図４】
2008276501.tif 000006
【図５】
2008276501.tif 000007